(57)【特許請求の範囲】
【請求項１】
海域で造成中の捨石護岸の法面を被覆する防砂シートの敷設方法において、この海域の潮止まりから下げ潮の間に、上下方向中途に設けた通水性を有する通水部と、該通水部の上下に連設した遮水性を有する上部遮水部および下部遮水部とを備えた第１防砂シートを、前記通水部が潮位の変動する範囲に位置するように捨石護岸の法面を被覆して敷設し、該敷設した第１防砂シートの下部遮水部の上に腹付石を投入し、この腹付石で被覆固定し、次以降の潮止まりから下げ潮の間に、遮水性を有する第２防砂シートで前記第１防砂シートの通水部を覆い、該第２防砂シートおよび前記第１防砂シートの上部遮水部の上に腹付石を投入し、この腹付石で被覆固定することを特徴とする捨石護岸の法面を被覆する防砂シートの敷設方法。
【請求項２】
前記第１防砂シートを敷設する場所が、内側を閉状態に区画するように造成される捨石護岸の最終締切り部である請求項１に記載の捨石護岸の法面を被覆する防砂シートの敷設方法。
【請求項３】
前記第１防砂シートの通水部が格子状に構成されて通水性を有する請求項１または２に記載の捨石護岸の法面を被覆する防砂シートの敷設方法。
【請求項４】
海域で造成中の捨石護岸の法面を被覆する防砂シートにおいて、上下方向中途に設けた通水性を有する通水部と、該通水部の上下に連設した遮水性を有する上部遮水部および下部遮水部とを備えた第１防砂シートと、該第１防砂シートの通水部を覆う遮水性を有する第２防砂シートとからなる捨石護岸の法面を被覆する防砂シート。
【請求項５】
前記第１防砂シートの通水部が格子状に構成されて通水性を有する請求項４に記載の捨石護岸の法面を被覆する防砂シート。
【発明の詳細な説明】
【技術分野】
【０００１】
本発明は、捨石護岸の法面を被覆する防砂シートの敷設方法および防砂シートに関し、さらに詳しくは、潮位差で生じる揚圧力によって海域で造成中の捨石護岸の法面を被覆する防砂シートの捲れ上がりや破損等を防止可能とする捨石護岸の法面を被覆する防砂シートの敷設方法および防砂シートに関するものである。
【背景技術】
【０００２】
従来から港湾埋立て工事等において、埋立て土砂等の流出を防止するために埋立て護岸の法面に遮水性を有する防砂シートを敷設する方法が知られている（例えば、特許文献１参照）。
【０００３】
図１０に、造成中の捨石護岸１の法面１ａに敷設されている従来の防砂シート５を例示する。この捨石護岸１は、満潮位が符号ＨＷ、干潮位が符号ＬＷで示す位置となる海域の海底２の上に造成されている。捨石護岸１の内側Ｓｉとなる法面１ａには、内側Ｓｉから外側Ｓｏに土砂等が流出しないように、遮水性の有する防砂シート５が被覆されている。
【０００４】
しかしながら、図１０に示すように防砂シート５を被覆固定するための腹付石６の投入に時間を要する等によって、腹付石６が中途までしか投入できず、防砂シート５の敷設が完了できない場合がある。
【０００５】
この場合、上げ潮によって潮位が上昇すると、外側Ｓｏから内側Ｓｉに向かって海水Ｗが捨石護岸１を通過し、防砂シート５には揚圧力Ｆが作用する。この揚圧力Ｆによって、防砂シート５の捲れ上がりや破損等が発生し、再度、防砂シート５の敷設が必要となる等、不具合が生じるという問題があった。
【０００６】
特に、潮位差の大きい海域では、この揚圧力Ｆが大きくなるので防砂シート５の敷設には時間の制約が多くなり、これに伴って作業の困難性が増すため、改善策が必要であった。
【特許文献１】特開平９−１６５７３１号公報
【発明の開示】
【発明が解決しようとする課題】
【０００７】
本発明の目的は、潮位差で生じる揚圧力によって海域で造成中の捨石護岸の法面を被覆する防砂シートの捲れ上がりや破損等を防止可能とする捨石護岸の法面を被覆する防砂シートの敷設方法および防砂シートを提供することにある。
【課題を解決するための手段】
【０００８】
上記目的を達成するため本発明の捨石護岸の法面を被覆する防砂シートの敷設方法は、海域で造成中の捨石護岸の法面を被覆する防砂シートの敷設方法において、この海域の潮止まりから下げ潮の間に、上下方向中途に設けた通水性を有する通水部と、該通水部の上下に連設した遮水性を有する上部遮水部および下部遮水部とを備えた第１防砂シートを、前記通水部が潮位の変動する範囲に位置するように捨石護岸の法面を被覆して敷設し、該敷設した第１防砂シートの下部遮水部の上に腹付石を投入し、この腹付石で被覆固定し、次以降の潮止まりから下げ潮の間に、遮水性を有する第２防砂シートで前記第１防砂シートの通水部を覆い、該第２防砂シートおよび前記第１防砂シートの上部遮水部の上に腹付石を投入し、この腹付石で被覆固定することを特徴とするものである。
【０００９】
また、本発明の捨石護岸の法面を被覆する防砂シートは、海域で造成中の捨石護岸の法面を被覆する防砂シートにおいて、上下方向中途に設けた通水性を有する通水部と、該通水部の上下に連設した遮水性を有する上部遮水部および下部遮水部とを備えた第１防砂シートと、該第１防砂シートの通水部を覆う遮水性を有する第２防砂シートとからなることを特徴とするものである。
【発明の効果】
【００１０】
本発明の海域で造成中の捨石護岸の法面を被覆する防砂シートの敷設方法によれば、この海域の潮止まりから下げ潮の間に、上下方向中途に設けた通水性を有する通水部と、この通水部の上下に連設した遮水性を有する上部遮水部および下部遮水部とを備えた第１防砂シートを通水部が潮位の変動する範囲に位置するように捨石護岸の法面を被覆して敷設するので、敷設が容易かつ迅速にできる。
【００１１】
また、この１回の潮止まりから下げ潮の間に、敷設した第１防砂シートの下部遮水部の上に腹付石を投入し、この腹付石で被覆固定するので、上げ潮になって第１防砂シートを被覆した捨石護岸を海水が通過して潮位が上昇しても、下部遮水部は腹付石で確実に固定されてずれ等が生じない。さらに潮位が上昇して通水部に達しても、海水は通水部を通過するので、第１防砂シートに生じる揚圧力を低減することが可能となり、第１防砂シートの捲れ上がりや破損等を防ぐことができる。
【００１２】
そして、次以降の潮止まりから下げ潮の間に、遮水性を有する第２防砂シートで第１防砂シートの通水部を覆うことによって、通水部における通水を遮断して遮水性を確保する。また、この１回の潮止まりから下げ潮の間に第２防砂シートおよび第１防砂シートの上部遮水部の上に腹付石を投入し、この腹付石で被覆固定するので、上げ潮によって揚圧力が作用する前に、第２防砂シートを第１防砂シートの上部遮水部とともに確実に固定できる。
【００１３】
このように、１回の潮止まりから下げ潮の間で、捨石護岸の法面に防砂シートを敷設し、敷設した防砂シートの全面を被覆固定する腹付石の投入を完了することができない場合であっても、防砂シートの捲れ上り等の不具合を生じさせることなく、容易に敷設できるとともに、確実な遮水性を確保することが可能となる。
【００１４】
本発明の海域で造成中の捨石護岸の法面を被覆する防砂シートによれば、上下方向中途に設けた通水性を有する通水部と、この通水部の上下に連設した遮水性を有する上部遮水部および下部遮水部とを備えた第１防砂シートを用いることで、この海域の潮止まりから下げ潮の間に、容易かつ迅速に通水部が潮位の変動する範囲に位置するように捨石護岸の法面を被覆して敷設することができる。
【００１５】
そして、この１回の潮止まりから下げ潮の間に、敷設した第１防砂シートの下部遮水部の上に腹付石を投入し、この腹付石で被覆固定することによって、上げ潮になって第１防砂シートを被覆した捨石護岸を海水が通過して潮位が上昇しても、下部遮水部は腹付石で確実に固定されてずれ等が生じない。さらに潮位が上昇して通水部に達しても、海水は通水部を通過するので、第１防砂シートに生じる揚圧力を低減することが可能となり、第１防砂シートの捲れ上がりや破損等を防ぐことができる。
【００１６】
そして、遮水性を有する第２防砂シートを用いて、次以降の潮止まりから下げ潮の間に、第１防砂シートの通水部を覆うことによって、通水部における通水を遮断して遮水性を確保できる。また、この１回の潮止まりから下げ潮の間に、第２防砂シートおよび第１防砂シートの上部遮水部の上に腹付石を投入し、この腹付石で被覆固定することによって、上げ潮によって揚圧力が作用する前に、第２防砂シートを第１防砂シートの上部遮水部とともに確実に固定できる。
【００１７】
このように、１回の潮止まりから下げ潮の間で、捨石護岸の法面に防砂シートを敷設し、敷設した防砂シートの全面を被覆固定する腹付石の投入を完了することができない場合であっても、第１防砂シートおよび第２防砂シートを用いることによって、防砂シートの捲れ上り等の不具合を生じさせることなく、容易に敷設ができるとともに、確実な遮水性を確保することが可能となる。
【発明を実施するための最良の形態】
【００１８】
以下、本発明の捨石護岸の法面を被覆する防砂シートの敷設方法および防砂シートを図に示した実施形態に基づいて説明する。
【００１９】
図１に本発明の防砂シートの敷設方法および防砂シートを適用する捨石護岸１を平面図で示す。この捨石護岸１は、土砂処分場を建設するために、海域を矩形状に区画して内側を閉状態とするように造成されている。
【００２０】
この捨石護岸１は、内側Ｓｉに投入される処分土砂の外側Ｓｏへの流出を防止するために、内側Ｓｉとなる法面１ａに遮水性を有する従来の防砂シート５が敷設され、その上に腹付石６が投入されて被覆固定されている。
【００２１】
図１に示すように、最終締切り部１ｂ以外の部分に、従来の防砂シート５が敷設されているのは、捨石護岸１の最終締切り部１ｂが造成される前においては、内側Ｓｉに作業船が入り込んで作業ができるためである。
【００２２】
即ち、所定幅毎に捨石護岸１の法面１ａに沿って従来の防砂シート５を敷設し、その後、敷設した防砂シート５の上に作業船から直接、迅速に腹付石６を投入できる。これによって、この海域の潮止まりから下げ潮の間に、敷設した所定幅の防砂シート５の全面を被覆固定できるので、従来の防砂シート５が用いられている。
【００２３】
一方、捨石護岸１の最終締切り部１ｂが造成されると、作業船が内側Ｓｉに入り込むことができず、外側Ｓｏから作業をしなければならない。したがって、腹付石６を迅速に投入することが困難になり作業時間が長期化する。
【００２４】
潮止まりから下げ潮の間に、防砂シート５の敷設および腹付石６の投入が完了しなければ、図１０に示したように、揚圧力Ｆによる防砂シート５の捲れ上がりや破損等が生じるので、本発明の防砂シートの敷設方法および防砂シートが適用されることになる。
【００２５】
図８は、本発明の防砂シートを例示する平面図である。防砂シートは、第１防砂シート３および第２防砂シート４で構成されている。
【００２６】
第１防砂シート３は、上下方向中途に設けた通水性を有する通水部３ｂの上下に遮水性を有する上部遮水部３ｂおよび下部遮水部３ｃを連設している。所定幅の第１防砂シート３は、左右両端部にジョイント部Ｊ１を有し、このジョイント部Ｊ１を用いて隣接する第１防砂シート３どうしを連結して任意の幅に形成可能となっている。ジョイント部Ｊ１を連結する際には、紐状の結束具等の一般的な手段を用いればよい。
【００２７】
通水部３ｂの位置、面積等の仕様は、諸条件によって適宜、決定されるが、例えば格子状に構成されて通水性が確保される。通水部３ｂを格子状部にした場合、格子の大きさは、通水部３ｂや遮水部３ａ、３ｃの面積割合や使用現場等によって異なるが、例えば、１０ｍｍ角以上２００ｍｍ角以下とし、２５ｍｍ角程度とする。尚、格子の大きさは、この範囲に限定されるものではない。格子の形状は、正方形に限定されることはなく、長方形や円形等を用いることができる。
【００２８】
また、通水部３ｂは格子状に構成されなくても支障のない通水性を確保できればよい。材質はポリエステル、ポリウレタン、塩化ビニール等を例示することができる。
【００２９】
両遮水部３ａ、３ｃは、材質がポリエステル、ポリウレタン、塩化ビニール等であり、これらの厚み５ｍｍ程度の不織布シート等が用いられて遮水性が確保されている。例えば、透水係数は０．０３ｃｍ／ｓ〜０．５ｃｍ／ｓ程度である。両遮水部３ａ、３ｃと通水部３ｂとのジョイント部Ｊ２は、強度の弱い通水部３ｂを補強するために、補強ベルト等を介挿して連結されている。
【００３０】
第２防砂シート４は、第１防砂シート３の通水部３ｂの全面を覆うことが可能な大きさに形成され、周縁部に設けたジョイント部Ｊ３によって、第１防砂シート３に固定可能となっている。材質は、第１防砂シート３の遮水部３ａ、３ｃと同様にポリエステル、ポリウレタン、塩化ビニール等であり、遮水性が確保されている。この透水係数も０．０３ｃｍ／ｓ〜０．５ｃｍ／ｓ程度である。
【００３１】
図２は、防砂シートの敷設方法の第１工程を例示する図１におけるＡ−Ａ断面図であり、この海域の満潮位が符号ＨＷで、干潮位が符号ＬＷで示されている。この海域の潮止まりから下げ潮の間に、図８に例示したような所定幅の第１防砂シート３を捨石護岸１の内側の法面１ａを被覆するように敷設する。この際に、通水部３ｂを潮位の変動する範囲、即ち、満潮位ＨＷと干潮位ＬＷとの間に位置させる。
【００３２】
この潮位の変動する範囲のすべてを通水部３ｂでカバーできれば最適であるが、通水部３ｂが、この範囲と重複する位置に配置されて、所定の通水性を確保できればよい。
【００３３】
図６は、この第１工程を例示する図１におけるＢ矢視図であり、第１防砂シート３の左右両端部は、既に敷設されている隣接する従来の防砂シート５と連結され、上下端部も固定具等で固定される。第１防砂シート３は、上下方向中途に通水部３ｂを有しているが、上下遮水部３ｂ、３ｃと連設して一体化しているので、容易かつ迅速に敷設することができる。
【００３４】
図３は、第２工程を例示する図１におけるＡ−Ａ断面図である。この工程では、敷設した第１防砂シート３の下部遮水部３ｃの上に腹付石６を投入し、この腹付石６で第１防砂シート３を被覆固定する。下部遮水部３ｃのなるべく多くの部分を腹付石６で覆うことが好ましい。
【００３５】
既述した第１工程および第２工程は、１回の潮止まりから下げ潮の間に行なわれる。これによって、図９に示すように上げ潮になって第１防砂シート３を被覆した捨石護岸１を海水Ｗが通過して潮位が上昇しても、下部遮水部３ｃは腹付石６で確実に固定されているので、ずれ等の不具合が生じることがない。さらに潮位が上昇して通水部３ｂに達しても、海水Wは通水部３ｂを通過するので、第１防砂シートに生じる揚圧力Ｆを低減することが可能となり、第１防砂シート３の捲れ上がりや破損等を防ぐことができる。
【００３６】
図４は、第３工程を例示する図１におけるＡ−Ａ断面図である。この工程では、次以降の潮止まりから下げ潮の間に、図８に示したような遮水性を有する第２防砂シート４で第１防砂シート３の通水部３ｂを覆う。これによって、通水部３ｂの通水が遮断されて遮水性が確保される。
【００３７】
図７は、この第３工程を例示する図１におけるＢ矢視図であり、第２防砂シート４の左右両端部は、既に敷設されている隣接する従来の防砂シート５と連結される。
【００３８】
図５は、第４工程を例示する図１におけるＡ−Ａ断面図である。この工程では、第２防砂シート４および第１防砂シート３の上部遮水部３ａの上に腹付石６を投入し、この腹付石６で第１防砂シート３および第２防砂シート４を被覆固定する。
【００３９】
既述した第３工程および第４工程は、第１工程および第２工程を実施した次以降の１回の潮止まりから下げ潮の間に行なわれる。したがって、上げ潮によって揚圧力Ｆが作用する前に、第２防砂シート４を第１防砂シート３の上部遮水部３ａとともに確実に固定できる。第１工程および第２工程を実施した直後の潮止まりから下げ潮の間に実施して、早期にすべての工程を完了させることが好ましい。
【００４０】
必要に応じて、第４工程後に投入した腹付石６の上に更に、腹付石６が投入されて捨石護岸１の法面１ａが適当な厚みに均される。
【００４１】
このように、１回の潮止まりから下げ潮の間で、捨石護岸１の法面１ａに従来の防砂シート５の敷設および腹付石６の投入を完了することができない場合であっても、本発明の防砂シート３、４を用いて、本発明の敷設方法を実施することによって、敷設が容易になり、防砂シート３、４の捲れ上りや破損を生じさせることがない。また、防砂シート３、４の敷設によって確実な遮水性を確保することが可能となる。
【００４２】
特に、潮位差が大きい海域では、揚圧力Ｆが大きくなるので、本発明の防砂シートの敷設方法および防砂シートを用いることが好ましい。
【００４３】
実施形態では、内側を閉状態に区画するように造成される捨石護岸１の最終締切り部１ｂに本発明を適用しているが、この場所に限定されることはない。例えば、作業船を使用することができない等、１回の潮止まりから下げ潮の間に従来の防砂シート５の敷設およびその防砂シート５を被覆固定する腹付石６の投入を完了することが困難な場所に適用することができる。
【図面の簡単な説明】
【００４４】
【図１】本発明の防砂シートの敷設方法および防砂シートを適用する土砂処分場の建設のために造成中の捨石護岸を示す平面図である。
【図２】本発明の防砂シートの敷設方法の第１工程を例示する図１におけるＡ−Ａ断面図である。
【図３】本発明の防砂シートの敷設方法の第２工程を例示する図１におけるＡ−Ａ断面図である。
【図４】本発明の防砂シートの敷設方法の第３工程を例示する図１におけるＡ−Ａ断面図である。
【図５】本発明の防砂シートの敷設方法の第４工程を例示する図１におけるＡ−Ａ断面図である。
【図６】本発明の防砂シートの敷設方法の第１工程を例示する図１におけるＢ矢視図である。
【図７】本発明の防砂シートの敷設方法の第３工程を例示する図１におけるＢ矢視図である。
【図８】本発明の第１防砂シートおよび第２防砂シートを例示する平面図である。
【図９】図３の状態において、本発明の第１防砂シートの通水性を示す断面図である。
【図１０】従来の防砂シートの通水性を図９と比較して示す断面図である。
【符号の説明】
【００４５】
１  捨石護岸    １ａ  法面    １ｂ最終締切り部
２  海底
３  第１防砂シート    
３ａ  上部遮水部    ３ｂ  通水部（格子状部）  ３ｃ  下部遮水部
４  第２防砂シート
５  従来の防砂シート
６  腹付石
ＨＷ  満潮位    ＬＷ  干潮位
【図１】
0004504274.tif 000002
【図２】
0004504274.tif 000003
【図３】
0004504274.tif 000004
【図４】
0004504274.tif 000005
【図５】
0004504274.tif 000006
【図６】
0004504274.tif 000007
【図７】
0004504274.tif 000008
【図８】
0004504274.tif 000009
【図９】
0004504274.tif 000010
【図１０】
0004504274.tif 000011